【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
煤フィルター；および
該煤フィルターの上流にあってそれと連なっている担体の上に沈澱した低温ＮＯ2捕捉材料
を含んで成ることを特徴とするディーゼルエンジン排気系。
【請求項２】
該排気系は沈澱したＮＯ2捕捉材料をもつ担体の上流にあるディーゼル酸化触媒をさらに含んで成ることを特徴とする請求項１記載の排気系。
【請求項３】
低温ＮＯ2捕捉材料が、
酸性ゼオライトおよび卑金属と交換されたゼオライトから成る群から選ばれることを特徴とする請求項１記載の排気系。
【請求項４】
ゼオライトはＺＳＭ−５，ＥＴＳ−１０、Ｙゼオライト、βゼオライト、フェリエライト、モルデナイト、珪酸チタン、および燐酸アルミニウムから成る群から選ばれることを特徴とする請求項３記載の排気系。
【請求項５】
卑金属はＭｎ、Ｃｕ、Ｆｅ、Ｃｏ、Ｗ、Ｒｅ、Ｓｎ、Ａｇ、Ｚｎ、Ｍｇ、Ｌｉ、Ｎａ、Ｋ、Ｃｓ、Ｎｄ、Ｐｒおよびこれらの組み合わせから成る群から選ばれることを特徴とする請求項３記載の排気系。
【請求項６】
煤フィルターの上流にあるディーゼル酸化触媒をさらに含んで成ることを特徴とする請求項３記載の排気系。
【請求項７】
ＮＯ2捕捉材料はディーゼル酸化触媒と煤フィルターとの間に介在してそれと連なっている担体の上に沈澱していることを特徴とする請求項６記載の排気系。
【請求項８】
煤フィルターは上流の軸の端と下流の軸の端を有するセラミックスのモノリス構造を含んで成り、該構造はマクロ多孔質の壁をもつ平行な流体の通路を有し、上流の軸の端の所に開口部をもつ通路は下流の軸の端の所で閉じており、下流の軸の端の所に開口部をもつ通路は上流の軸の端の所で閉じており、これによって通路の壁の上流側および下流側が規定されていることを特徴とする請求項３記載の排気系。
【請求項９】
触媒組成物は煤フィルターの通路の壁の下流側に沈澱していることを特徴とする請求項８記載の排気系。
【請求項１０】
煤フィルターの通路の壁の下流側に沈澱している触媒組成物はリーンＮＯｘ触媒組成物を含んで成ることを特徴とする請求項９記載の排気系。
【請求項１１】
煤フィルターの通路の壁の下流側に沈澱している触媒組成物は未燃焼の炭化水素および一酸化炭素の燃焼に有効な触媒組成物を含んで成ることを特徴とする請求項９記載の排気系。
【請求項１２】
排気流を請求項１〜１１のいずれか１項記載の排気系に通し；
少なくとも若干のＮＯ2を低温ＮＯ2捕捉材料に吸着させ、また少なくとも若干の煤を煤フィルターに吸着させ；
低温ＮＯ2捕捉材料を加熱して吸着されたＮＯ2の少なくとも若干を低温ＮＯ2捕捉材料から脱着させ；そして
脱着したＮＯ2を用いて少なくとも若干の吸着された煤を酸化する
ことを特徴とするＮＯ2と煤とを含むディーゼル排気流を処理する方法。
【請求項１３】
少なくとも若干の未燃焼の炭化水素を低温ＮＯ2捕捉材料に吸着させ；そして
低温ＮＯ2捕捉材料を加熱して吸着されたＮＯ2の少なくとも若干と未燃焼の炭化水素の少なくとも若干とを低温ＮＯ2捕捉材料から脱着させることを特徴とする
未燃焼の炭化水素を更に含むディーゼル排気流を処理する請求項１２に記載の方法。
【請求項１４】
排気系はさらに煤フィルターの上に沈澱したリーンＮＯｘ触媒を含んで成ることを特徴とする請求項１３記載の方法。
【請求項１５】
入口ガス流を低温ＮＯ2捕捉材料に接触させ、少なくとも若干のＮＯ2を捕捉材料に吸着させることを特徴とする入口ガス流からＮＯ2を除去する方法。
【請求項１６】
ゼオライトはＺＳＭ−５，フェリエライト、珪酸チタン、燐酸アルミニウム、ガロシリケートおよびボロシリケートから成る群から選ばれ、卑金属はＭｎ、Ｃｕ、Ｆｅ、Ｃｏ、Ｗ、Ｒｅ、Ｓｎ、Ａｇ、Ｚｎ、Ｍｇ、Ｌｉ、Ｎａ、Ｋ、Ｃｓ、ＮｄおよびＰｒから成る群から選ばれることを特徴とする卑金属と交換されたゼオライトを含んで成る組成物。
【請求項１７】
ゼオライトは珪酸チタンであり、卑金属はＭｎおよびＣｏから成る群から選ばれることを特徴とする請求項１６記載の組成物。
【手続補正２】
【補正対象書類名】明細書
【補正対象項目名】００７９
【補正方法】変更
【補正の内容】
【００７９】
以上好適な具体化例を強調しながら本発明を説明したが、当業界の専門家には好適な装置および方法において種々の変形を使用できること、および本発明は本明細書において特定的に説明したこと以外の方法で実施できることを意図するものであることを理解できよう。従って本発明は添付特許請求の範囲に規定された本発明の精神および範囲内のすべての変形を含むものである。
本発明の好適な実施の態様は次のとおりである。
１．煤フィルター；および
該煤フィルターの上流にあってそれと連なっている担体の上に沈澱した低温ＮＯ2捕捉材料
を含んで成ることを特徴とするディーゼルエンジン排気系。
２．該排気系は沈澱したＮＯ2捕捉材料をもつ担体の上流にあるディーゼル酸化触媒をさらに含んで成ることを特徴とする上記１記載の排気系。
３．煤フィルター；および
酸性ゼオライトおよび卑金属と交換されたゼオライトから成る群から選ばれるゼオライトを含む低温ＮＯ2捕捉材料を含んで成るディーゼルエンジン排気系であって、該低温ＮＯ２捕捉材料は該煤フィルターの上流にあってそれと連なっている担体の上に沈澱していることを特徴とするディーゼルエンジン排気系。
４．ゼオライトはＺＳＭ−５，ＥＴＳ−１０、Ｙゼオライト、βゼオライト、フェリエライト、モルデナイト、珪酸チタン、および燐酸アルミニウムから成る群から選ばれることを特徴とする上記３記載の排気系。
５．卑金属はＭｎ、Ｃｕ、Ｆｅ、Ｃｏ、Ｗ、Ｒｅ、Ｓｎ、Ａｇ、Ｚｎ、Ｍｇ、Ｌｉ、Ｎａ、Ｋ、Ｃｓ、Ｎｄ、Ｐｒおよびこれらの組み合わせから成る群から選ばれることを特徴とする上記３記載の排気系。
６．ゼオライトはＳｉと組み合わされて酸化物の骨格をつくる３価の金属を含んで成ることを特徴とする上記３記載の排気系。
７．３価の金属はＡｌ、Ｂ、Ｇａ、Ｉｎ、Ｆｅ、Ｃｒ、Ｖ、ＡｓおよびＳｂから成る群から選ばれる少なくとも１種の金属を含んで成ることを特徴とする上記６記載の排気系。
８．ゼオライトは、最小断面寸法の細孔の開口部が少なくとも５Åであり珪素対アルミナの比が少なくとも５であることによって特徴付けられる三次元のアルミナ−シリケート・ゼオライトを含んで成ることを特徴とする上記６記載の排気系。
９．ゼオライトは珪酸チタンを含んで成ることを特徴とする上記６記載の排気系。
１０．煤フィルターの上流にあるディーゼル酸化触媒をさらに含んで成ることを特徴とする上記３記載の排気系。
１１．ＮＯ2捕捉材料はディーゼル酸化触媒と煤フィルターとの間に介在してそれと連なっている担体の上に沈澱していることを特徴とする上記１０記載の排気系。
１２．さらにカニスターを具備し、該カニスターは低温ＮＯ2捕捉材料および煤フィルターの両方を収納していることを特徴とする上記１１記載の排気系。
１３．煤フィルターは上流の軸の端と下流の軸の端を有するセラミックスのモノリス構造を含んで成り、該構造はマクロ多孔質の壁をもつ平行な流体の通路を有し、上流の軸の端の所に開口部をもつ通路は下流の軸の端の所で閉じており、下流の軸の端の所に開口部をもつ通路は上流の軸の端の所で閉じており、これによって通路の壁の上流側および下流側が規定されていることを特徴とする上記３記載の排気系。
１４．触媒組成物は煤フィルターの通路の壁の下流側に沈澱していることを特徴とする上記１３記載の排気系。
１５．煤フィルターの通路の壁の下流側に沈澱している触媒組成物はリーンＮＯｘ触媒組成物を含んで成ることを特徴とする上記１４記載の排気系。
１６．煤フィルターの通路の壁の下流側に沈澱している触媒組成物は未燃焼の炭化水素および一酸化炭素の燃焼に有効な触媒組成物を含んで成ることを特徴とする上記１４記載の排気系。
１７．排気流を上記１記載の排気系に通し；
少なくとも若干のＮＯ2を低温ＮＯ2捕捉材料に吸着させ、また少なくとも若干の煤を煤フィルターに吸着させ；
低温ＮＯ2捕捉材料を加熱して吸着されたＮＯ2の少なくとも若干を低温ＮＯ2捕捉材料から脱着させ；
脱着したＮＯ2を用いて少なくとも若干の吸着された煤を酸化する
ことを特徴とするＮＯ2と煤とを含むディーゼル排気流を処理する方法。
１８．煤フィルターおよび該煤フィルターの上流にある担体に沈澱した低温ＮＯ2捕捉材料を含んで成るディーゼルエンジン排気系に排気流を通し；
少なくとも若干のＮＯ2を低温ＮＯ2捕捉材料に吸着させ、また少なくとも若干の未燃焼の炭化水素を低温ＮＯ2捕捉材料に吸着させ；
低温ＮＯ2捕捉材料を加熱して吸着されたＮＯ2の少なくとも若干と未燃焼の炭化水素の少なくとも若干とを低温ＮＯ2捕捉材料から脱着させ；
脱着したＮＯ2を用いて少なくとも若干の未燃焼の炭化水素を酸化する
ことを特徴とするＮＯ2と未燃焼の炭化水素とを含むディーゼル排気流を処理する方法。
１９．低温ＮＯ2捕捉材料は酸性ゼオライトおよび卑金属と交換されたゼオライトから成る群から選ばれるゼオライトを含んで成ることを特徴とする上記１８記載の方法。
２０．排気系はさらに煤フィルターの上に沈澱したリーンＮＯｘ触媒を含んで成ることを特徴とする上記１８記載の方法。
２１．入口ガス流を低温ＮＯ2捕捉材料に接触させ、少なくとも若干のＮＯ2を捕捉材料に吸着させることを特徴とする入口ガス流からＮＯ2を除去する方法。
２２．ゼオライトはＺＳＭ−５，フェリエライト、珪酸チタン、燐酸アルミニウム、ガロシリケートおよびボロシリケートから成る群から選ばれ、卑金属はＭｎ、Ｃｕ、Ｆｅ、Ｃｏ、Ｗ、Ｒｅ、Ｓｎ、Ａｇ、Ｚｎ、Ｍｇ、Ｌｉ、Ｎａ、Ｋ、Ｃｓ、ＮｄおよびＰｒから成る群から選ばれることを特徴とする卑金属と交換されたゼオライトを含んで成る組成物。
２３．ゼオライトは珪酸チタンであり、卑金属はＭｎおよびＣｏから成る群から選ばれることを特徴とする上記２２記載の組成物。
２４．ゼオライトがＥＴＳ−１０であることを特徴とする上記２３記載の組成物。